Podtech/llm-jp-corpus-v4-ja_patent huggingface dataset:
(57)【要約】  【課題】  組立て自在な構成にして在庫管理や運搬上、好適なボルトを提供する。  【解決手段】  頭部片２と棒杆体１を、頭部片２側の雌ねじ２ａに棒杆体１の一端側の雄ねじ１ａを螺合して、互いに一体的にして構成する。そして、前記棒杆体１の他端側には、前記雄ねじ１ａと反対廻り方向にして締付けナット３を螺合する雄ねじ１ａ´を設けル。【選択図】    図２
2011002022.tif 000002
【特許請求の範囲】
【請求項１】
頭部片と棒杆体を、頭部片側の雌ねじに棒杆体の一端側の雄ねじを螺合して、互いに一体的にして構成し、前記棒杆体の他端側には、前記雄ねじと反対廻り方向にして締付けナットを螺合する雄ねじを設けた、ボルト。
【発明の詳細な説明】
【技術分野】
【０００１】
本発明は、杆体の一端側の係止部を物品に係止し、他の一端側の螺子部にナットを螺合して締付け、概し、２つの物品を固定するために用いるボルトに関するものである。
【背景技術】
【０００２】
杆体の一端に六角柱状の頭部を設けて、該頭部を前記係止部と成し、杆体の他の一端にナットを螺合するようにした構造のものが、具体例を挙げるまでもなく従前より存在している。
【０００３】
元より前記六角柱形状に代えて平板状にしたり、杆体を単に折り曲げてＬ字形にしたりして、固定する物品（状況）に合わせて頭部（係止部）を代えたり、或いは、頭部と偏心関係にして杆体を配する等している。
【発明の概要】
【発明が解決しようとする課題】
【０００４】
いずれにしても、杆体の長さ、径が同じであっても、需要に応じて頭部の形態を異にする場合は異なるごとに当該ボルトを製造し、或いは在庫として管理する必要がある。
【０００５】
本発明は、斯様な常況に着目し、在庫管理、運搬上、好適な提供をすることを目的として創案したものである。
【課題を解決するための手段】
【０００６】
頭部片と棒杆体を、頭部片側の雌ねじに棒杆体の一端側の雄ねじを螺合して、互いに一体的にして構成し、前記棒杆体の他端側には、前記雄ねじと反対廻り方向にして締付けナットを螺合する雄ねじを設けた構成とするのである。
【発明の効果】
【０００７】
本発明によれば、頭部片と杆体とを分離し、使用時には互いに螺合して組付けるようにして用いることができるから在庫管理や運搬上好適であり、また、本発明構成を利用すれば、頭部片のみを変えることによって種々の形態のボルトを得られ、従って、種々のボルトを安価に提供することができる。さらに、杆体の一端に設けた雄ねじと他の一端に設けた雄ねじは互いに逆ねじの関係にあるから、締付けナットを回せば回す程、より強固に締め付けることができる。
【図面の簡単な説明】
【０００８】
【図１】使用状態を示す正面図。
【図２】図１の一部欠截拡大図。
【図３】図２の平面図。
【実施例】
【０００９】
図面は、本発明に係るボルトの使用状態図を示すが、図示のものは、木造建物の管柱ｐと該管柱ｐ上に載せた横架材ｂを、本発明に係るボルトＢを接合金具Ｃと組合わせて用いて、互いに引き寄せ、締付け接合した適用例を示し、ボルトＢを軸組材接合用のものとしたものである。
【００１０】
ボルトＢは、一端側と他端側に雄ねじ１ａ，１ａ´をそれぞれ刻設した棒杆体１の前記雄ねじ１ａに、偏心位置に雌ねじ２ａを設けた方形平板状の頭部片２を、雌ねじ２ａにおいて前記一端側の雄ねじ１ａに螺合して、前記棒杆体１に組付けて構成したものである。
【００１１】
棒杆体１ａに設けた一端側の雄ねじ１ａと他端側の雄ねじ１ａ´は、互いに反対廻り方向にしてあり、他端側の雄ねじ１ａ´には、前記頭部片２を受圧部として物品に締付ける締付けナット３を螺合して用いるようにしてある。
【００１２】
そして、管柱ｐの片面に、取付けボルト１１と該ボルト１１に螺合した取付けナット１２によって前記接合金具Ｃを固着し、該接合金具Ｃに設けた縦孔１３に、前記管柱ｐに載せた前記横架材ｂに設けた通し孔１４を通じて棒杆体１の一方の雄ねじ１ａ´側を挿通させ、縦孔１３より突出する雄ねじ１ａ´（棒杆体）側の端部に前記締付けナット３を螺合締付けると、頭部片２は横架材ｂに、締付けナット３は縦孔１３を備えた前記接合金具Ｃにそれぞれ圧接され、柱ｐと横架材ｂとの接合状態を得られるのである。
【００１３】
因みに、ねじ１ａ，１ａ´は互いに反対廻り方向に刻設してあるので、これらに螺合する頭部片２や締付けナット３は、その一方を締付けても他方側は緩むことがない。
【００１４】
なお、棒杆体１と頭部片２は金属（鋼材）を素材とすることは勿論であり、頭部片２に設けた雌ねじ２ａを偏心位置に配してあるのは、ボルトＢをできるだけ柱ｐに近接させて、柱ｐと横架材ｂとの接合強度を強固するためである。従って、雌ねじ（ねじ孔）２ａは頭部片２の中央に設けても良い。
【符号の説明】
【００１５】
１            棒杆体
１ａ，１ａ´  雄ねじ
２            頭部片
２ａ          雌ねじ
３            締付けナット
【図１】
2011002022.tif 000003
【図２】
2011002022.tif 000004
【図３】
2011002022.tif 000005
(57)【要約】      （修正有）【課題】視認効果が高く、宣伝効果に優れた機能を有する広告プラカードを提供する。【解決手段】広告面にスクリーン２を使用し、背面に搭載した映像投射装置７により映像をスクリーンに再現することにより広告宣伝を行う広告プラカード１を見いだした。映像の再生により、広告宣伝における最大の使命である視認効果が向上し、大きな広告効果が得られる。【選択図】図１
2011002795.tif 000002
【特許請求の範囲】
【請求項１】
少なくとも以下の（１）から（４）の要件；
（１）電気接続差込口が設けられた外枠体、
（２）外枠体の内側に備えられたスクリーン、
（３）映像投射装置、
（４）持ち手部、
を有することを特徴とする広吉プラカード。
【請求項２】
上記広告プラカードは、映像再生装置として以下の（１）から（２）の少なくともいずれかの装置；
（１）ＵＳＢやＤＶＤ等に記憶された映像を映像投射装置を用いてスクリーンに再生可能とする装置、
（２）インターネット無線受信機および該受信機により受信した映像を映像投射装置を用いてスクリーンに再生可能とする装置、
を有することを特徴とする請求項１の広告プラカード。
【請求項３】
電力供給源として以下の（１）から（２）の少なくともいずれかの装置；
（１）家庭用電源または自動車から蓄電可能なバッテリー、
（２）太陽光発電パネルにより蓄電可能なバッテリー、
を有することを特徴とする請求項１から２いずれかの広告プラカード。
【発明の詳細な説明】
【技術分野】
【０００１】  本発明は、広告プラカードに関する。
【背景技術】
【０００２】  従来から、プラカードを掲げ持って市街を歩いて広告宣伝する方法は一般的に行われている。【０００３】  しかしながら、この広告宣伝方法においては厚紙にポスターを張り付けたものなどをプラカードとしていることが多く、広告宣伝の重大な使命である視認効果は極めて低く、多くの人々に注視されないという問題点があった。また、同方法においては単一の広告しか掲示できず、内容変更ごとにポスターの張替え等の労力がかかることや、夜間の屋外等の暗い環境下では視認効果が低下するという問題点もあった。
【発明の概要】
【発明が解決しようとする課題】
【０００４】  そこで本発明者は、以上の事情を鑑みて、視認効果が高く、優れた広告宣伝機能を発揮する広告プラカードを提供することを課題としている。
【課題を解決するための手段】
【０００５】  上記の課題を解決するため、本発明の広告掲示装置は以下のことを特徴としている。
＜１＞少なくとも以下の（１）から（４）の要件；（１）電気接続差込口が設けられた外枠体、（２）外枠体の内側に備えられたスクリーン、（３）映像投射装置、（４）持ち手部、を有する。
＜２＞映像再生装置として以下の（１）もしくは（２）の装置；（１）ＵＳＢやＤＶＤ等に記憶された映像をスクリーンに再生可能とする装置、（２）インターネット無線受信機および該受信機により受信した映像をスクリーンに再生可能とする装置、を有する。
＜３＞電力供給源として以下の（１）もしくは（２）の装置；（１）家庭用電源または自動車から蓄電可能なバッテリー、（２）太陽光発電パネルから蓄電可能なバッテリー、を有する。
【発明の効果】
【０００６】  本発明の広告プラカードは、動画の再生が可能であるため、視認効果が向上する。静止画の表示においても約１５分から１分ほどの間隔で連続的に広告画像を変更することにより、動的変化を付与できることから、高い視認効果が得られる。また、１台のプラカードに複数の広告を掲載することができるために、広告費の増収も見込まれる。
【図面の簡単な説明】
【０００７】
【図１】（Ａ）広告プラカードの正面図と（Ｂ）側面図である。
【発明を実施するための形態】
【０００８】  本発明の広告プラカードは、主に屋外やイベント会場等での広告宣伝活動に利用される。図２に例示するように手で保持可能な持ち手部１０によって広告面を掲げて掲示する広告プラカードである。本発明においては持ち手部１０の長さ、材質等は適宜選択することができる。なお、持ち手部１０は必ずしも保持の必要はなく、地面に固定したり、移動可能手段として車輪などを設けてもよい。
【０００９】  上記の広告プラカードは、広告面を掲示しながら市街を歩くなどして広告宣伝を行うものである。
【００１０】  そして、図１（Ａ）（Ｂ）に示すように、本発明の広告プラカードは広告面に映像を投射可能なスクリーン２を使用し、広告宣伝を行うことができる。また、スピーカー３を備えることで、視覚・聴覚共に訴える広告宣伝を行うこともできる。なお、内容やコストの都合でスピーカーは必ずしも備えなくてもよい。
【００１１】  具体的には広告プラカード１におけるスクリーン２にはパールスクリーンなど反射率の高いスクリーンが望ましいが、映像投射が可能であれば特に素材の限定はされない。
【００１２】  スクリーン２は電力を受け取るための電気接続差込口４が設けられた外枠体５に固定されている。外枠体５に固定されることによりスクリーンの弛みや破損等が防止される。
【００１３】  本発明の広告プラカード１は映像または映像および音声が受信可能なインターネット無線受信機６、または、映像または映像および音声を記憶するための記憶装置（図示していない）のいずれかもしくは両方を設ける。インターネット無線受信機および記憶装置は受信または記憶した映像または映像および音声を映像投射装置７およびスピーカー３に再現できる。
【００１４】  さらに、本発明の広告プラカードにおいてはインターネット無線受信機６として、インターネット機能を有する調整機付き携帯電話を使用することができる。
【００１５】  本発明の広告プラカードの電力供給はバッテリー（図示していない）を電気接続差込口に接続することによる。バッテリーは太陽光発電パネル８、家庭用電源、または自動車内の電源の少なくともいずれかの形態により蓄電することができる。また、該バッテリーはスクリーン背面に設けることも、広告プラカードとは別に携帯すること、例えばプラカードを掲げる人物が背中に背負うことも可能であり、特に装備の形態を限定しない。
【符号の説明】
【００１６】１．    広告プラカード
２．    スクリーン
３．    スピーカー
４．    電気接続差し込み口
５．    外枠体
６．    インターネット無線受信機
７．    映像投射装置
８．    太陽光発電パネル
９．    持ち手部
【図１】
2011002795.tif 000003
(57)【要約】【課題】既存の眼鏡フレームに於いて、丁番ネジの緩みを防止すると共に、アクセサリー等を簡単に着脱することが可能な横穴付ナットを提供する。【解決手段】既存の眼鏡フレームの丁番ネジを横穴付ナット３が使用可能な長さのネジ７に交換し、テンプル２がスムーズに動くようネジの締め具合を調整し、アクセサリー着脱用横穴付ナット３でダブルロックし固定する。【選択図】図１
2011002797.tif 000002
【特許請求の範囲】
【請求項１】
既存の丁番ネジを任意の長さのネジに交換し、横穴付ナットを締め付けることによって、テンプルの折り畳みを繰り返すことによって起こり得るネジの緩みを防止するダブルロック構造。
【請求項２】
請求項１で装着した横穴付ナットに、フック式留め具で連結したアクセサリー等、又はネジ式留め具で連結したアクセサリー等を装着してなる着脱自在のアクセサリー取着構造。
【発明の詳細な説明】
【技術分野】
【０００１】本発明は、丁番ネジを有する既存の眼鏡フレームの丁番機能と装飾に関するものである。
【背景技術】
【０００２】従来、眼鏡フレームの丁番はテンプルの折り畳みを頻繁に繰り返すため、ネジが緩みやすい。また装飾に於いては、使用する人が好みやＴＰＯに合わせてデコレーションできる部分が極めて少なく、既存の眼鏡フレームにアクセサリー等を装着するためには専門的な技術や知識が必要であり、個人が簡単に加工することが出来ない。
【先行技術文献】
【特許文献】
【０００３】
【特許文献１】特開平８−２６２３７８
【発明が解決しようとする課題】
【０００４】ところが、丁番ネジの緩みに於いては、現状防止するのが困難であり、また装飾に於いても、好みやＴＰＯに合わせて簡単にアクセサリーの着脱・交換することが出来ない。
【課題を解決するための手段】
【０００５】本発明は、既存の丁番ネジを任意の長さのネジに交換し、横穴付ナットを締め付けることによって、テンプルの折り畳みを繰り返すことによって起こり得るネジの緩みを防止するダブルロック構造と、装着した横穴付ナットに、フック式留め具で連結したアクセサリー、又はネジ式留め具で連結したアクセサリーを簡単に着脱できるアクセサリー取着構造を同時に解決する構造を持つ横穴付ナットを考案した。
【発明の効果】
【０００６】要するに本発明は、通常緩みやすい丁番ネジを任意の長さの丁番ネジに交換し、横穴付ナットで締め付けるダブルナット作用によってネジの緩みを防止すると同時に、使う人が好みやＴＰＯに合わせて、眼鏡フレームを加工することもなく専門的技術や知識も必要とせず安価でしかも簡単にアクセサリー等を着脱・交換することが、既存の丁番ネジを有するほぼ全ての眼鏡フレームに於いて可能となるものである。
【発明を実施するための最良の形態】
【０００７】以下、本発明の実施例を挙げるが、以下の実施例に限定されるものではない。【０００８】図３は、横穴付ナットを取り付け、ネジ式留め具で連結したアクセサリーをナットのネジ穴に装着したものである。【０００９】図４は、横穴付ナットを取り付け、フック式留め具で連結したチェーン式アクセサリーをナットの横穴４に装着し、アクセサリー（磁性体）１３をレンズ９に埋設した磁石１４と磁着させたものである。【００１０】図５は、横穴付ナットを取り付け、ネジ式留め具で連結したメガネチェーンをナットのネジ穴に装着したものである。【００１１】横穴付ナットは、左右の丁番に取り付け可能であるが片方のみ取り付けることも出来る。【００１２】また、左右デザインの異なるアクセサリーを装着することも出来る。
【図面の簡単な説明】
【００１３】
【図１】ネジ式留め具を装着する場合の丁番部裏面拡大図
【図２】フック式留め具を装着する場合の丁番部裏面拡大図
【図３】ネジ式留め具での実施例
【図４】フック式留め具での実施例
【図５】他の実施例
【符号の説明】
【００１４】１：ヨロイ      ２：テンプル      ３：横穴付ナット      ４：横穴
５：丁番（二枚駒）      ６：丁番（一枚駒）      ７：丁番ネジ      ８：リム
９：レンズ      １０：ネジ式留め具      １１：フック式留め具
１２：アクセサリー      １３：アクセサリー（磁性体）      １４：レンズ埋設磁石
１５：チェーン      １６：メガネチェーン
【図１】
2011002797.tif 000003
【図２】
2011002797.tif 000004
【図３】
2011002797.tif 000005
【図４】
2011002797.tif 000006
【図５】
2011002797.tif 000007
(57)【要約】【課題】  虹色の光を色彩に利用して、その色彩や模様を鑑賞したり、暈けのない綺麗な色彩や模様を、写真や動画として提供する。【解決手段】  分光器プリズム（２）で得られた虹色の光（４）をプリズム（２）の下に設けた鏡（３）で反射させて、オブジェクト（５）に当て、万華鏡（６）の鏡筒（７）の外に置かれたオブジェクト（５）と、虹色の光（４）を、鏡筒（７）の鏡面（８）に映しこむ事で提供できる。【選択図】図１
2011002800.tif 000002
【特許請求の範囲】
【請求項１】
プリズム（２）によって出来た虹色の光（４）をオブジェクト（５）に当てて、その虹色の光（４）とオブジェクト（５）を内面が鏡面（８）で出来た、複数枚の鏡筒（７）に模様と色彩として映しこむ。  以上の如く構成された組み合わせ。
【発明の詳細な説明】
【技術分野】
【０００１】  この発明は、分光器プリズムによって出来た虹色の光をオブジェクトに当てて、そのオブジェクトを模様や色彩として映し出す、万華鏡との組み合わせに関するものである。
【背景技術】
【０００２】  従来、プリズムで出来た虹色の光は、七色の分光として壁などに投射して楽しむことはあったが、色彩に使うことには利用されていなかった、また写真に写しても暈たり分光して写った。【０００３】  万華鏡に関してはオブジェクトに発光ダイオードを光源として色彩を得る方法が提案されている。（特許文献１参照）
【先行技術文献】
【０００４】
【特許文献１】  「特開２００１−２１５４４２」  「特開２００４−１５１６１３」
【発明の概要】
【発明が解決しようとする課題】
【０００５】  本発明は、いかにして虹色の光を色彩に利用出来ないか、その色彩や模様を鑑賞したり、暈けのない綺麗な色彩や模様を、写真に写したり動画に映す事を目的とした。
【課題を解決するための手段】
【０００６】  虹色の光（４）の投射角度調整を容易に出来る様に、また多彩な色の組み合わせが出来る様に、プリズム（２）の下に鏡（３）を設けた、是により虹色の光（４）が二つ以上出来てプリズム（２）の角度を変えると虹色の光（４）どうしが重なったり離れたりするので、色の組み合わせが出来る様になった、その虹色の光（４）を万華鏡（６）の内面が鏡面（８）からなる鏡筒（７）の外に設けたオブジェクト（５）に当てて、そのオブジェクト（５）と虹色の光（４）を鏡筒（７）の鏡面（８）に映しこむ事によって、目的が達成出来る事を発見した。
【発明の効果】
【０００７】  白いオブジェクトを万華鏡で見ても味気ない模様が映っているだけだが、虹色の光を当てると、暈けの無いはっきりとした綺麗な色彩と模様が映しだされて、カラー印刷された色彩と模様を写した様な綺麗な写真が写し取れた。また動画に映すと色彩や模様の変化と光の輝きや発光が見られ綺麗な映像が映し取れた。なお色彩を施されたオブジェクトに、虹色の光を当てても変化のある色彩が得られた。
【図面の簡単な説明】
【０００８】
【図１】  本発明の構成図である。
【発明を実施するための形態】
【０００９】  以下、本発明の実施の形態を説明する。
プリズム（２）に太陽の光（１）を通すだけで虹色の光（４）を得られるが、このとき虹色の光（４）の投射角度調整が容易に出来るように、また虹色どうしを重ねたり離したりして色の組み合わせが出来るように、プリズム（２）の下に鏡（３）を設ける。プリズム（２）を必要な角度に固定するには金具等を利用して固定するが、粘着テープ等でも実用上問題ない。オブジェクト（５）に当てる距離は近いと多彩になり、離れるとそれぞれのスペクトルの幅が広くなるので単色光を得られやすくなり距離によっても色彩の変化を得られる。プリズム（２）からオブジェクト（５）までの距離は５０ｃｍ位から６ｍ位が多彩で綺麗な色彩が得られる。オブジェクト（５）を模様として映しこむために万華鏡（６）を使うが、鏡筒（７）の中にオブジェクト（５）があると逆光になって多彩な色彩が得られないので、鏡筒（７）の外にオブジェクト（５）を設けて、そのオブジェト（５）と虹色の光（４）を鏡筒（７）の鏡面（８）に映しこむ。
以上の如く本発明は虹色の光を利用することが最大の特徴で構成されている。
【００１０】  なお万華鏡（６）の鏡筒（７）に使う鏡は二枚でも複数枚でも同じ様に模様と色彩は得られるが、三枚の方が良い模様が得られる。
【００１１】  またプリズム（２）の下に鏡（３）を設ける事により、虹色の光（４）の投射角度調整が容易にでき、二つの虹色の光（４）を組み合わせる事ができることも特徴である。
【００１２】  この模様と色彩は衣服や、絨毯、テーブルクロス、等の様々なデザインとして使える。
【符号の説明】
【００１３】  １  太陽の光
２  プリズム
３  鏡
４  虹色の光
５  オブジェクト
６  万華鏡
７  鏡筒
８  鏡面
【図１】
2011002800.tif 000003
(57)【要約】【課題】複数のソレノイドコイルを用いる場合において、各ソレノイドコイル間の磁気結合を緩和、または磁気結合の差異を緩和する。【解決手段】図はソレノイドコイルを３つ（リアクトルＡ，Ｂ，Ｃ）を配置した例で、各ソレノイドコイルに使用するコア１の形状は「コ」の字形とし、各ソレノイドコイルはコア１の端面３がそれぞれ別方向を向くように配置する。すなわち、例えば棒状のコアでは、コイルによって発生した磁束が空中に広がり、他相のコイルと磁気結合するのに対し、「コ」の字形コアでは、磁束の広がる範囲を磁気抵抗の小さいコア端面３に概ね限定できる。そのため、図示のような配置とすることで、各ソレノイドコイル間の磁気結合を緩和できるようになり、相互インダクタンスを小さくすることができる。【選択図】図１
2011009434.tif 000002
【特許請求の範囲】
【請求項１】
ソレノイドコイルを複数個備えた複合リアクトルであって、
前記各ソレノイドコイルのコア形状を「コ」の字形とし、各ソレノイドコイルを、それぞれの相互インダクタンスが小さくなるように配置することを特徴とする複合リアクトル。
【請求項２】
ソレノイドコイルを複数個備えた複合リアクトルであって、
前記各ソレノイドコイルのコア形状を「コ」の字形とし、各ソレノイドコイルを、それぞれの相互インダクタンスが等しくなるように配置することを特徴とする複合リアクトル。
【発明の詳細な説明】
【技術分野】
【０００１】
この発明は、ソレノイドコイルを複数個用いた複合リアクトルに関する。
【背景技術】
【０００２】
図５に交流リアクトルの従来例を示す。同図（ａ）は上面図、同図（ｂ）はその側面図を示す。
すなわち、交流リアクトルのうち、特に電源等に用いられるものは、コア１が図示のように閉磁路になったものが多用される。これは、閉磁路とすることで、所望のインダクタンスを実現するためのリアクトルの体積を小さく抑えることができるためである。具体的には、ＵＩコアやＥＩコアとして実現される。
【０００３】
一方、リアクトルの形態として、例えば図６のようなソレノイドコイルを用いるものもあり、棒状のコア１にコイル２を巻きつける構造となっている。ソレノイドコイルは開磁路となっており、コイル２によって発生する磁路は空中を通る。したがって、同じコイル起磁力に対する発生磁束が閉磁路の場合よりも小さくなるため、所望のインダクタンスを得るための体積は、閉磁路の場合よりも一般に大きくなる。ただし、コイルの実装が容易であるため安価になるという利点がある。なお、以上のようなリアクトルは特許文献１や非特許文献１に開示されている。
【先行技術文献】
【特許文献】
【０００４】
【特許文献１】特開２００２−１５８１２４号公報
【非特許文献】
【０００５】
【非特許文献１】「電磁気学」コロナ社、昭和３５年７月３０日発行、第４版  ｐ.191~193、“無限長ソレノイドによる磁界”の項参照
【発明の概要】
【発明が解決しようとする課題】
【０００６】
ところで、リアクトルは同時に複数個用いられることがある。例えば、三相交流回路に適用する場合などでは、３つのリアクトルを１つずつ各相に接続して用いる。このとき、ソレノイドコイルは開磁路であるため、複数個を同時に使用する場合、お互いの磁気結合を無視することができない。つまり、三相用として３つのソレノイドコイルを用いた場合に、各コイルにおける他相のコイルの影響に差異が生じると、三相の回路が不平衡となる。その結果、三相電流がひずみ、振幅や位相がばらつき、コンバータの入出力に用いる場合にはコンバータの制御が不安定になる、という不具合が生じる。
【０００７】
従って、この発明の解決しようとする課題は、複数のソレノイドコイルを用いる場合において、各ソレノイドコイル間の磁気結合を緩和、または磁気結合の差異を緩和することにある。
【課題を解決するための手段】
【０００８】
上記課題を解決するため、請求項１の発明では、ソレノイドコイルを複数個備えた複合リアクトルであって、
前記各ソレノイドコイルのコア形状を「コ」の字形とし、各ソレノイドコイルを、それぞれの相互インダクタンスが小さくなるように配置することを特徴とする。
【０００９】
請求項２の発明では、ソレノイドコイルを複数個備えた複合リアクトルであって、
前記各ソレノイドコイルのコア形状を「コ」の字形とし、各ソレノイドコイルを、それぞれの相互インダクタンスが等しくなるように配置することを特徴とする。
【発明の効果】
【００１０】
この発明によれば、複数のソレノイドコイルを用いる場合において、各ソレノイドコイル間の磁気結合を緩和、または磁気結合の差異を緩和することが可能となる。
【図面の簡単な説明】
【００１１】
【図１】この発明の実施の形態を示す構成図
【図２】この発明の別の実施の形態を示す構成図
【図３】この発明の他の実施の形態を示す構成図
【図４】この発明のさらに他の実施の形態を示す構成図
【図５】閉磁路コアを使用したリアクトルの従来例を示す構成図
【図６】棒状コアを用いたソレノイドコイルの従来例を示す構成図
【発明を実施するための形態】
【００１２】
図１はこの発明の実施の形態を示す配置構成図で、同図（ａ）は上面図、同図（ｂ）はその側面図を示す。
これは、三相用としてソレノイドコイルを３つ（リアクトルＡ，Ｂ，Ｃ）を配置した例で、各ソレノイドコイルに使用するコア１の形状は「コ」の字形とし、各ソレノイドコイルはコア１の端面３がそれぞれ別方向を向くように配置している。棒状のコアでは、コイルによって発生した磁束が空中に広がり、他相のコイルと磁気結合するのに対し、「コ」の字形コアでは、磁束の広がる範囲を磁気抵抗の小さいコア端面３に概ね限定することができる。
【００１３】
そのため、図１のような配置とすることで、各ソレノイドコイル間の磁気結合を緩和でき、相互インダクタンスを小さくすることができる。
なお、ソレノイドコイルの配置は図１の例に限らず、例えば図２のようにコアの端面３が１２０°間隔で３方向を向くように配置することにより、さらなる磁気結合の緩和、相互インダクタンス低減の効果を期待することができる。
【００１４】
図３にこの発明の別の実施の形態を示す。
この例では、ソレノイドコイル３つ（リアクトルＡ，Ｂ，Ｃ）を、円周上に１２０°の間隔で配置している。このとき、各ソレノイドコイルのコア１は「コ」の字形の端面３が互いに内側を向くように配置している。これにより、各ソレノイドコイル間の磁気結合は等しく、相互インダクタンスを均一化できる。
【００１５】
図４は図３と同様、円周上に１２０°の間隔で配置し、コア１の「コ」の字形の端面３が互いに外側を向くように配置している。これにより、相互インダクタンスの低減と均一化の効果が得られる。なお、ソレノイドコイルの数は３つに限らず、複数配置する場合は図３,図４と同様に円周上に略等間隔で配置すれば、各相における他相の影響を略均一にすることが可能である。
【符号の説明】
【００１６】
１…コア、２…コイル、３…コア端面、Ａ，Ｂ，Ｃ…ソレノイドコイル（リアクトル）。
【図１】
2011009434.tif 000003
【図２】
2011009434.tif 000004
【図３】
2011009434.tif 000005
【図４】
2011009434.tif 000006
【図５】
2011009434.tif 000007
【図６】
2011009434.tif 000008
(57)【要約】【課題】簡単な巻線作業でコイル内径を小さくできるようにすることで、巻線の電気抵抗の最小化を図るとともに、コアとコイルとの隙間によって発生する漏れ磁束を低減し得るようにする。【解決手段】コア１を形成する平角またはシート状の導線を、その表裏面が互いに反転するように、複数箇所で折り返してコイル２を形成する。このように形成されるコイル２は上下，左右に順次折り返して行くことにより、簡単に作製できるだけでなく、大きな力を必要としない。【選択図】図１
2011009433.tif 000002
【特許請求の範囲】
【請求項１】
平角またはシート状導線の幅方向がコアに対して直角になるように巻回されたコイルを備えたエッジワイズ巻き磁気部品であって、
前記平角またはシート状導線を複数箇所で表裏面が、互いに反転するように折り返して巻回したことを特徴とするエッジワイズ巻き磁気部品。
【請求項２】
前記平角またはシート状導線の折り返し角度を調整することにより、コイルの内径をその内側に配置されるコアの断面形状とほぼ同じ形状とすることを特徴とする請求項１に記載のエッジワイズ巻き磁気部品。
【発明の詳細な説明】
【技術分野】
【０００１】
この発明は、平角またはシ−ト状導線を用いてコイルを形成した磁気部品（トランス，リアクトル）に関する。
【背景技術】
【０００２】
従来、磁気部品ではコイルに使用する導線の電気抵抗を小さくし、占有率を大きくする目的で平角導線を使用し、平角導線の長手方向に巻芯に直角に配置された、いわゆるエッジワイズ巻き磁気部品が広く知られている（特許文献１，２）。
図５に、その１例を示す。図示のように、コイル２は平角導線よりなり、同図（ｂ）のように、導線の幅方向がコア１に対して直角となるように巻回され、これらの導線が上下平行に積層して構成されている。
【先行技術文献】
【特許文献】
【０００３】
【特許文献１】特開２００７−１７３２６３号公報
【特許文献２】特開２００７−３１１５２５号公報
【発明の概要】
【発明が解決しようとする課題】
【０００４】
従来のエッジワイズ巻き磁気部品は、図５のような構成によって導線の電気抵抗を小さくし、占有率を大きくするようにしている。
ところが、平角導線の曲げ角度には限界があり、コイル内径を一定以上小さくできないという問題がある。つまり、図５（ａ）に示すようにコイルはそのコイル周囲をほぼ円形で巻回した構造となり、導線長の最短化、つまり導線の電気抵抗の最小化ができないというわけである。
【０００５】
また、コア１とコイル２との隙間が大きいため漏れ磁束が増大し、最小の部品形状で所望のインダクタンスを得る構造となっていない。さらに、平角導線の幅方向への巻き回しには非常に大きな力が必要であり、巻線作業が困難であるという問題もある。
したがって、この発明の課題は、簡単な巻線作業でコイル内径を小さくできるようにし、もって巻線の電気抵抗の最小化を図り、かつコアとコイルとの隙間によって発生する漏れ磁束を低減し得るようにすることにある。
【課題を解決するための手段】
【０００６】
上記のような課題を解決するため、請求項１の発明では、平角またはシート状導線の幅方向がコアに対して直角になるように巻回されたコイルを備えたエッジワイズ巻き磁気部品において、
前記平角またはシート状導線を複数箇所で表裏面が、互いに反転するように折り返して巻回したことを特徴とする。
この請求項１の発明においては、前記平角またはシート状導線の折り返し角度を調整することにより、コイルの内径をその内側に配置されるコアの断面形状とほぼ同じ形状とすることができる（請求項２の発明）。
【発明の効果】
【０００７】
この発明によれば、簡単な巻線作業によってコイル内径を小さくすることができる。その結果、巻線の電気抵抗の最小化、およびコアとコイルとの隙間によって発生する漏れ磁束の低減化が可能となる。
【図面の簡単な説明】
【０００８】
【図１】この発明の実施の形態を示す構成図。
【図２】この発明のコイル形成方法を説明する説明図。
【図３】この発明の別の実施の形態を示す構成図。
【図４】この発明のさらに別の実施の形態を示す構成図。
【図５】従来例を示す構成図。
【発明を実施するための形態】
【０００９】
図１はこの発明の実施形態を示す構成図で、同（ａ）は上面図、同（ｂ）は同（ａ）のａ−ａ’断面図を示す。
図示のように、ここでは、平角導線をその表裏面が互いに反転するように、複数箇所で直角に折り返してコイル２を形成している。なお、平角導線の代わりに、シート状の導線を用いることができるのは、言うまでも無い。
【００１０】
このようなコイル２は、平角またはシート状の導線を、例えば図２のように（１）９０°上方に折り返し、（２）９０°左方に折り返し、（３）９０°下方に折り返す作業を順次繰り返すことで作製することができる。この作製に当たっては大きな力を必要とせず、極めて簡単に行なうことが可能である。
【００１１】
図３はこの発明の別の実施の形態を示す構成図である。同図からも明らかなように、これは図１に示すものに対しコア１を２分割し、これを直列に接続するよう平角導線を巻回したもの（コイル２１，２２参照）である。
図４にこの発明のさらに別の例を示す。これは、コア１の断面が図示のように多角形の場合の例で、この場合は平角導線の折り返し角度を調整することで、コイル２の形状をコア１の断面とほぼ同形状となるようにしている。これにより、導線長の最短化を図り、コア１とコイル２との隙間寸法を低減することが可能となる。
【符号の説明】
【００１２】
１…コア、２，２１，２２…コイル。
【図１】
2011009433.tif 000003
【図２】
2011009433.tif 000004
【図３】
2011009433.tif 000005
【図４】
2011009433.tif 000006
【図５】
2011009433.tif 000007
(57)【要約】      （修正有）【課題】アルミサッシ等の窓枠の下側の一部の面積のみを直接暖める事により、消費電力を著しく節約し、また充分に結露を防止し、窓周辺を濡らす汚れやカビ等が無くする。【解決手段】絶縁体１上に発熱線２を張り、断熱材３で覆い矩形とし発熱線端に電源コード４を接続する構造の窓用結露防止ヒータを構築し、アルミサッシ等の窓枠の下部が組み込まれる建造物との接合部で室内側にアルミサッシが露出する部分に直接取り付け暖める事により結露を防止する。【選択図】図１
2011009045.tif 000002
【特許請求の範囲】
【請求項１】
絶縁体上に発熱線を張り、断熱材で覆い矩形とし発熱線端に電源コードを接続する構造でアルミサッシ等の窓枠の下部が組み込まれる建造物との接合部で室内側にアルミサッシが露出する部分（図２及び図３のａ部分）に直接取付け暖める事により結露を防止することを目的とする窓用結露防止ヒータ。
【発明の詳細な説明】
【技術分野】
【０００１】
本発明はアルミサッシの窓枠の結露防止のためのヒータに関する。
【背景技術】
【０００２】
従来アルミサッシ等の窓辺の下側に長細い矩形のヒータを設置し窓面を暖房し結露防止をするものがある。
またこれらは補助の部分的暖房設備としての効果をも謳ったりしている。
【先行技術文献】
【非特許文献】
【０００３】
先行している従来の、窓の下側に置く長細い矩形のヒータの基本的な特許文献は見つけられないが、一般の通販雑誌には同様な物が多数掲載されている。
【発明の概要】
【発明が解決しようとする課題】
【０００４】
冬季間などの窓の結露は不愉快で窓の周辺を濡らし、汚れ、カビ等発生の原因になる。
先行している従来の、窓の下側に置く長細い箱形のヒータは窓面近く全体を暖めて結露防止を目指しているため暖める容積が大きすぎヒータの出力が有効に使われていない事がある。
また補助の暖房設備として使用できるほどの出力を上げた物は窓に掛けたカーテン等に触れたりし、火災などの危険がある。
【０００５】
結露により窓下部周辺を濡らす水滴はアルミサッシの窓枠の内側や窓ガラスに付く水滴ではない。アルミサッシの下部は水を受けるように作られており窓枠や窓ガラスに付く水滴はこの水受けに溜まり切欠きで窓外に排出される。
窓の下部周辺を濡らすのはアルミサッシの内側の水滴ではなく、アルミサッシ等の窓枠の下部が組み込まれる建造物との接合部で室内側にアルミサッシが露出する部分（図２及び図３のａ部分）が結露しこの部分の水滴は窓外に排出されないため窓の周辺を濡らし汚れ、カビ等の原因になる。
【課題を解決するための手段】
【０００６】
上記の課題を解決するため該発明は窓面側全体を暖める物でなくアルミサッシ等の窓枠の下部が組み込まれる建造物との接合部で室内側にアルミサッシが露出する部分（図２及び図３のａ部分）のみを直接暖める事により結露を防止し上記課題を解決しょうとするものである。
【発明の効果】
【０００７】
アルミサッシ等の窓枠の下側の一部の面積のみを直接暖める事により消費電力を著しく節約できる。また充分に結露を防止ができ、窓周辺を濡らす汚れやカビ等が無くなる。
【図面の簡単な説明】
【０００８】
【図１】全体外観図
【図２】アルミサッシ等の窓枠断面図―１
【図３】アルミサッシ等の窓枠断面図―２
【発明を実施するための形態】
【０００９】
絶縁体１上に適当な距離をおき、行って戻る発熱線２を張る。
それを断熱材３で覆い矩形とし発熱線２に電源ランプ６及び電源コード５を接続する。
両者の間にはサーモスタット４を設け温度管理をする。
【００１０】
結露防止ヒータの断熱材３は取付け面側を窓枠に熱を良く伝えるために薄くし他の面は熱発散を抑えるべく考慮する。
【００１１】
アルミサッシ等の窓枠は結露し溜まった水を集め窓の外に出すように下部が水受け状になっている。この部分のサッシ形状は図２、又は図３のようになっている。これらの図に示すａの部分にも大量に結露しこの水は窓外に排出されないため室内に溜まり周辺を濡らす事になる。この部分に当該発明の結露防止ヒータ９を取り付けて結露を防止する。
該結露防止ヒータはネジ取付けが望ましいが軽量小型なので粘着テープ等による取付けも可能である。
【００１２】
当該発明の結露防止ヒータは窓枠幅の内側に納まる長さに設定し、窓枠の下縁のみに取付ける事により十分効果を発揮できる。大型な窓や窓の上部には結露がでるがアルミサッシ窓枠下部の水受けの効果で水が窓外に排出さるのでこの水が室内を濡らす事は無い。
【００１３】
窓ガラスに市販の断熱シート等を張り、当該発明の結露防止ヒータと併用すれば非常に消費電力の電力少ない結露防止ヒータを構築できる。
【００１４】
当該発明の結露防止ヒータの温度管理用のサーモスタットは水道などの凍結防止用のヒータより温度設定を高く設定する必要がある。
【符号の説明】
【００１５】
・  絶縁体
・  発熱線
・  断熱材
・  電源コード
・  サーモスタット
・  電源ランプ
・  水抜き
・  レール
・  結露防止ヒータ
【図１】
2011009045.tif 000003
【図２】
2011009045.tif 000004
【図３】
2011009045.tif 000005
(57)【要約】【課題】  電線やケーブルの被覆材料にはポリ塩化ビニル、ポリエチレン、フッ素樹脂、ポリエステルなどが広く利用されている。屋外の電線に用いる被覆材料に関しては、太陽光の赤外線による劣化が安全性およびコストの両面から問題となっており、優れた材料の提供が望まれている。以上の事実を鑑みて、本発明は熱反射性機能を付与した電線被覆材料を提供することを課題とする。【解決手段】  上記課題を解決するために、本発明者は電線やケーブルの被覆材料の表面の少なくとも一面側に真球度の高い球状金属酸化物粒子を含有する層を付与することで熱反射効果を実現できることを見いだした。【選択図】図１
2011009181.tif 000002
【特許請求の範囲】
【請求項１】
熱線反射性電線・ケーブル被覆材料は、基材と球状金属酸化物粒子が配合された水系塗料組成物中からなる熱線反射層が、少なくとも該基材の一面側に形成されていることを特徴とする熱線反射性電線・ケーブル被覆材料。
【請求項２】
前記基材はポリ塩化ビニル、ポリエチレン、フッ素樹脂、ポリエステルなど一般的に被覆材料として用いられる組成物を適宜採用できることを特徴とする請求項１の熱線反射性電線・ケーブル被覆材料。
【請求項３】
請求項１の熱線反射層を形成する水系塗料組成物は、水系アクリル塗料、水系アルキド−ポリエステル塗料、水系ポリウレタン塗料、水系フッ素樹脂塗料、水系エポキシ塗料、シリコーン変性アクリル塗料など一般的に水系塗料組成物中に含有される組成物を適宜、含有することができることを特徴とする請求項１から２のいずれかの熱反射性電線・ケーブル被覆材料。
【請求項４】
前記熱線反射層の水系塗料組成物に配合される球状金属酸化物粒子の組成がシリカであることを特徴とする請求項１から３のいずれかの電線・ケーブル被覆材料。
【請求項５】
請求項１の球状金属酸化物粒子の真球度が０．７以上である請求項１から４のいずれかの電線・ケーブル被覆材料。
【発明の詳細な説明】
【技術分野】
【０００１】  本発明は、熱線反射性に優れた電線およびケーブルの被覆材料を提供することに関する。
【背景技術】
【０００２】  電線やケーブルの被覆材料にはポリ塩化ビニル、ポリエチレン、フッ素樹脂、ポリエステルなどが広く利用されている。一般に、被覆材料としてはその安全性や施工容易性などから電気絶縁性、柔軟性、耐摩耗性、耐傷つき性に優れていることが求められる。特に、屋外の電線に用いる被覆材料に関しては、太陽光の赤外線による劣化が安全性およびコストの両面から問題となっており、優れた材料の提供が望まれている。【０００３】  ところで、粒径０．２μｍ〜１０μｍ程度の真球度高い球状金属酸化物粒子を含有する塗料は赤外線反射率が高く、熱遮蔽性が優れているということが知られている（特許文献１）。
【先行技術文献】
【特許文献】
【特許文献】ＷＯ２００６／１０４２９０
【発明の概要】
【発明が解決しようとする課題】
【０００４】  そこで本発明は、以上の事実を鑑み、熱反射性機能を付与した電線・ケーブル被覆材料を提供することを課題とする。
【課題を解決するための手段】
【０００５】  上記課題を解決するために、本発明者は電線やケーブルの被覆材料の表面の少なくとも一面側に真球度の高い球状金属酸化物粒子を含有する層を付与することで熱反射効果を実現できることを見いだした。
【発明の効果】
【０００６】  本発明の電線・ケーブル被覆材料は、表面に真球度の高い球状金属酸化物粒子からなる熱線反射層を有している。熱線反射性に優れてことから、熱による絶縁体の劣化を防ぎ、長寿命の電線およびケーブルを提供することができる。よって保守管理コストの改善に大きく貢献する。
【図面の簡単な説明】
【０００７】
【図１】  本発明の実施形態における被覆材料と電線の断面図を示す。
【発明を実施するための形態】
【０００８】  以下、本発明の一実施形態について図面を用いて詳述する。図１は本実施形態における被覆材料と電線・ケーブルの断面を示したものである。
【０００９】  図１において１は被覆材料の断面図であり、熱反射層３と基材４から構成され、２の電線またはケーブルを覆っている。
【００１０】  上記基材４は、ポリ塩化ビニル、ポリエチレン、フッ素樹脂、ポリエステルなど一般的に被覆材料として用いられる組成物を適宜採用できる。
【００１１】  上記熱反射層３は、少なくとも基材の一面側に形成されており、球状金属酸化物粒子が配合されている水系塗料組成物からなる。球状金属酸化物粒子は熱線反射層の質量を基準として２０％以上含有していることが望ましい。
【００１２】  前記の球状金属酸化物粒子の組成は特に限定しないが、含有する金属としてはケイ素、アルミニウム、チタン、ジルコニウムなどが挙げられる。コストや性能などの観点からケイ素を用いたシリカが望ましい。
【００１３】  前記の球状金属酸化物粒子の粒径は０．０５μｍから２０μｍ程度、より好ましくは０．２μｍから１０μｍ程度のものが望まれる。また、粒径のばらつきができるだけ小さいものが望まれる。
【００１４】  前記の球状金属酸化物粒子は真球度が０．７以上であることが望ましい。ここで、本明細書中における「真球度」とは、ＳＥＭで写真を撮り、その観察される粒子の面積と周囲長から、（真球度）＝｛４π×（面積）÷（周囲長）２｝で算出される値とする。１に近づくほど真球に近い。
【００１５】  熱反射層を形成する水系塗料組成物は、水系アクリル塗料、水系アルキド−ポリエステル塗料、水系ポリウレタン塗料、水系フッ素樹脂塗料、水系エポキシ塗料、シリコーン変性アクリル塗料などの水系塗料組成物中に含有される組成物を適宜、含有することができる。
【符号の説明】
【００１６】１      被覆材料
２      電線またはケーブル
３      熱反射層
４      基材
５      球状金属酸化物粒子
【図１】
2011009181.tif 000003
(57)【要約】【課題】中継アンテナの設置は、従来の大規模型式から、コンパクト設計に基づく、省力化、省エネ化、省スペース化及び自家発電化等の課題が発生する。その為、中継アンテナの支柱と、多段式太陽電池パネルの設置を共用する構造で、解決すること。【解決手段】イ）支柱（１）に取付金具Ａ（２）、取付金具Ｂ（３）、取付金具Ｃ（４）を設ける。ロ）取付金具Ａ（２）に太陽電池パネルＡ（５）、取付金具Ｂ（３）に太陽電池パネルＢ（６）、取付金具Ｃ（４）に太陽電池パネルＣ（７）を設ける。ハ）支柱（１）の先にアンテナ（８）を設ける。ニ）太陽電池パネルＡ（５）、太陽電池パネルＢ（６）、太陽電池パネルＣ（７）は、東向き、又は西向きに設定して、支柱（１）に固定する。以上のことを特徴とする。【選択図】図１、図２、図３、図４
2011009674.tif 000002
【特許請求の範囲】
イ）支柱（１）に取付金具Ａ（２）、取付金具Ｂ（３）、取付金具Ｃ（４）を設ける。
ロ）取付金具Ａ（２）に太陽電池パネルＡ（５）、取付金具Ｂ（３）に太陽電池パネルＢ（６）、取付金具Ｃ（４）に太陽電池パネルＣ（７）を設ける。
ハ）支柱（１）の先にアンテナ（８）を設ける。
ニ）太陽電池パネルＡ（５）、太陽電池パネルＢ（６）、太陽電池パネルＣ（７）は、東向き、又は西向きに設定して、支柱（１）に固定する。
以上のごとく構成された、中継アンテナ用支柱を用いた多段式太陽電池パネルの設置工法に関するものである。
【発明の詳細な説明】
【技術分野】
【０００１】本発明は、多段式太陽電池パネルの設置工法に関するものであり、中継アンテナ用支柱に太陽電池パネルを取り付けたことを特徴に持ち、アンテナに必要な電力の発電を可能にしたものである。
【背景技術】
【０００２】従来、中継アンテナは、外部より電力を供給して、稼働しており、災害時等の対策として、自家用発電を必要としている。
【発明の開示】
【発明が解決しようとする課題】
【０００３】中継アンテナの設置は、従来の大規模型式から、コンパクト設計に移行している為、省力化、省エネ化、省スペース化等、小規模設備に進行すると共に自家発電にすることを課題とする。
【課題を解決するための手段】
【０００４】この課題を解決するために、請求項の発明は中継アンテナの支柱に、東向き、又は西向きに設定した太陽電池パネルを取り付け、多段式にすることで、発電能力の向上を計り、発電する電力の活用を可能にすることができる。
【発明の効果】
【０００５】この発明の効果は、中継アンテナの設置は、従来の大規模型式から、コンパクト設計に基づく、省力化、省エネ化による小規模設備、小規模投資を可能にし、災害時に必要な自家用発電化の普及の拡大を実現させるものである。
【発明を実施する為の最良の形態】
【０００６】この発明は、中継用アンテナのコンパクト設計、自家用発電に必要な太陽電池パネルと中継用アンテナの支柱が共用の構造である。
又、多段式太陽電池パネルは東向き、又は西向きに設定でき、積雪対策の融雪ヒーターの加工も可能であり、支柱を連結、接続して、太陽電池パネルの追加取付も可能である。
更に又、支柱は、コンクリートポールでも、鉄柱、鉄塔でも可能であり、支柱を複数連結して補強した、補助柱を使用しても可能である。
【産業上の利用可能性】
【０００７】中継アンテナ用支柱を用いた多段式太陽電池パネルの設置工法は、簡易で、省エネ化、コンパクト設計で、普及も可能で、産業上の利用可能を有する。
【図面の簡単な説明】
【０００８】
【図１】本発明の説明図である。
【図２】本発明の他の実施例を示す説明図である。
【図３】本発明の他の実施例を示す説明図である。
【図４】本発明の他の実施例を示す説明図である。
【符号の説明】（１）支柱  （２）取付金具Ａ  （３）取付金具Ｂ
（４）取付金具Ｃ  （５）太陽電池パネルＡ  （６）太陽電池パネルＢ
（７）太陽電池パネルＣ  （８）アンテナ
【図１】
2011009674.tif 000003
【図２】
2011009674.tif 000004
【図３】
2011009674.tif 000005
【図４】
2011009674.tif 000006
(57)【要約】      （修正有）【課題】太陽電池パネルに付着した雪を融雪して、除去する多段式太陽電池パネルの設置工法を提供する。【解決手段】太陽電池パネル１を、東向き、又は西向きとし、斜面を傾斜させてを設置する。前記太陽電池パネルの側面を連結する際に、山形２の組み合わせを行い、山形の谷溝３の部分を滑走路にすることで、融雪後の流失ルートを設置可能とする。山形に合わせた谷溝３の部分の下に、低温型融雪ヒーター４を取り付け、着雪を感知する温度センサー６によって起動運転することにより融雪温度にする。該低温型融雪ヒーターの下には、底板５を設ける。【選択図】図１
2011009672.tif 000002
【特許請求の範囲】
イ）太陽電池パネル（１）を東向き、又は西向き、斜面に傾斜設定し、側面を山形（２）に組み合わせる。
ロ）山形（２）に合わせた谷溝（３）の部分の下に、融雪ヒーター（４）を取り付ける。
ハ）融雪ヒーター（４）下に底板（５）を設ける。
ニ）温度センサー（６）と融雪ヒーター（４）を結線する。
以上のごとく構成された、融雪ヒーターを用いた多段式太陽電池パネルの融雪技術に関するものである。
【発明の詳細な説明】
【技術分野】
【０００１】本発明は、多段式太陽電池パネルの設置工法に関するものであり、東向き、又は西向き、斜面に傾斜した太陽電池パネルの側面を山形に組み合わせて、谷溝の部分の下に、融雪ヒーターを設けた特徴を持ち、融雪の効率を高めることを可能にしたものである。
【背景技術】
【０００２】従来の太陽電池パネルの設置条件は、降雪地域には適さず、普及が困難である。
又、融雪システムはあるが、効率が悪く、あまり普及していない。
【発明の開示】
【発明が解決しようとする課題】
【０００３】太陽電池パネルの設置は、太陽光の直射が最適条件になる為、発電障害である、太陽電池パネルに付着した雪を融雪して、除去することを課題とする。
【課題を解決するための手段】
【０００４】この課題を解決するために、請求項の発明は、東向き、又は西向き、斜面に傾斜した太陽電池パネルの側面を山形に組み合わせることを計り、更に山形に組み合わせた谷溝の部分に、融雪ヒーターでを取り付けることで、効率良く、融雪処理を行うことができる。
【発明の効果】
【０００５】この発明の効果は、従来、太陽電池パネル発電に適さなかった降雪地域に、太陽光発電を普及の拡大を実現させるものである。
【発明を実施する為の最良の形態】
【０００６】この発明の効果は、多段式太陽電池パネルの設置条件である、東向き、又は西向き、斜面の傾斜角度のタテの傾斜と太陽電池パネルの側面を山形に組み合わせてのヨコの傾斜で、谷溝の部分を滑走路にする構造である為、斜面の傾斜角度は、気候条件による地域に合わせて、調整可能である。
又、融雪ヒーターの温度は低温に設定し、着雪を感知する温度センサーによって、起動運転する構造である為、気候条件に合わせて、調整可能である。
更に、支柱は、コンクリートポールでも、鉄柱、鉄塔でも可能である。
又、更に、凍結条件の多い地域には、山形構造の山の部分にも、融雪ヒーターを設けることも、融雪ヒーターの温度も調整可能である
【産業上の利用可能性】
【０００７】本発明に係る融雪ヒーターを用いた多段式太陽電池パネル設置工法は、簡易で、、省エネでもあり、普及も可能で、産業上の利用可能を有する。
【図面の簡単な説明】
【０００８】
【図１】本発明の説明図である。
【図２】本発明の他の実施例を示す説明図である。
【符号の説明】（１）太陽電池パネル  （２）山形  （３）谷溝
（４）融雪ヒーター  （５）温度センサー
【図１】
2011009672.tif 000003
【図２】
2011009672.tif 000004